(57)【要約】【課題】ロック機構側のハンドル操作により、ストッパ機構側も作動させることができるようにした、操作性の良い扉装置の提供。【解決手段】ハンドル７の操作により、リンク機構を介して、下側三角盤リンク３５を回動させ、その突片部分３９を回動させると共に、パッド保持ロッド４９を下降させるように構成する。レールＲ側に矩形枠５５が取付けられており、矩形枠５５に対向した位置でハンドル７を操作すれば、ロック機構が働いて被係合用突片部分４１を矩形枠５５に係合する。その他の位置でハンドル７を操作すれば、ストッパ機構だけが働いて、パッド５１をレールＲの任意の位置の対向縁に上側から圧接させる。【選択図】        図３
2014129020.tif 000002
【特許請求の範囲】
【請求項１】
上下のレールに対してスライド可能にガイドされた扉と、前記扉側に対して回動可能に連結されたハンドルと、それぞれ被係合用突片部分を有し、前記ハンドルの回動に応じて回動する下側リンク盤および上側リンク盤と、前記下側リンク盤の回動によりリンク機構を介して昇降するストッパとを備え、前記下側リンク盤および前記上側リンク盤の回動によりそれぞれの突片部分が倒伏回動すると共に下側に関しては前記ストッパが下降して、前記突片部分と前記ストッパが共に前記レール側に延出し、前記突片部分が前記レール側の係合部に係合するときには本ロックされ、前記ストッパが前記レール側の被圧接部に圧接するだけのときには仮ロックされることを特徴とするロック機構を備えた扉装置。
【請求項２】
請求項１に記載した扉装置において、
ストッパの昇降手段は、下側リンク盤と平行な面内で平面運動する多節のリンク機構であることを特徴とする扉装置。
【請求項３】
請求項２に記載した扉装置において、
ストッパの昇降手段は、中間部を扉側に対して回動可能に連結されたシーソーリンクと、一端側が前記シーソーリンクに回動可能に連結され、他端側が下側リンク盤に回動可能に連結された円盤側リンクと、一端側が前記シーソーリンクに回動可能に連結された昇降リンク機構とで構成されていることを特徴とする扉装置。
【請求項４】
請求項３に記載した扉装置において、
昇降リンク機構は、シーソーリンクに一端側が回動可能に連結されたストッパ側リンクと、前記ストッパ側リンクの他端側に一端側が回動可能に連結されたパッド保持ロッドとで構成され、
ストッパは前記ストッパ保持ロッドに外嵌され、レールの対向縁部よりも大径のパッドで構成され、
前記パッド保持ロッドが下降してレール内に延出すると、前記パッドが前記レールの対向縁部に上側から圧接することで仮ロックされることを特徴とする扉装置。
【請求項５】
請求項４に記載した扉装置において、
パッド保持ロッドは、扉側に設けられたガイド筒に遊嵌されてガイドされていることを特徴とする扉装置。
【請求項６】
請求項１から５のいずれかに記載した扉装置を備えた車両。
【請求項７】
請求項６に記載した車両において、扉装置が伸縮幌を備えた側部扉に備えられていることを特徴とする車両。
【発明の詳細な説明】
【技術分野】
【０００１】
本発明は、ロック機構及びストッパ機構を備えた扉装置に関するものである。
【背景技術】
【０００２】
特許文献１に記載の輸送用トラックのように、側部を伸縮幌式の扉で構成した車両がある。このような車両は、輸送中は、幌を伸長して側部を閉鎖し更にロック機構を働かせてロックしているが、荷物の取出しや積載等の作業中は、ロック機構を解除して幌を収縮し側部を開いている。
而して、このような側部伸縮幌式の扉では、傾斜面上に車両を停止させたときには、幌が不意に動いて伸長したり収縮したりしてしまう不都合が指摘されている。
【先行技術文献】
【特許文献】
【０００３】
【特許文献１】特開平７−５２６５５号公報
【特許文献２】実開平７−１３５４３号公報
【発明の概要】
【発明が解決しようとする課題】
【０００４】
それに対応するため、特許文献２では伸縮幌式の扉にストッパ機構を設けることが提案されているが、このストッパ機構は扉のロック機構とは別個独立したものとなっており、係止レバーを動かして係止杆をレール溝内に延出させ溝壁に圧接させることでストッパ機能を働かせている。
従って、ロック機構側のハンドルを操作してロック機構を解除し幌を伸長した後に、今度はストッパ機構側の係止レバーを操作することになり、加えて、係止レバーは概して下側レール側に取り付けられていることから、背を屈んで係止レバーを操作することになり、面倒であることは否めない。
【０００５】
本発明は上記従来の問題点に着目して為されたものであり、ロック機構側のハンドル操作により、ストッパ機構も作動させることができるものを提供することを、その目的とする。
【課題を解決するための手段】
【０００６】
本発明は上記課題を解決するためになされたものであり、請求項１の発明は、  上下のレールに対してスライド可能にガイドされた扉と、前記扉側に対して回動可能に連結されたハンドルと、それぞれ被係合用突片部分を有し、前記ハンドルの回動に応じて回動する下側リンク盤および上側リンク盤と、前記下側リンク盤の回動によりリンク機構を介して昇降するストッパとを備え、前記下側リンク盤および前記上側リンク盤の回動によりそれぞれの突片部分が倒伏回動すると共に下側に関しては前記ストッパが下降して、前記突片部分と前記ストッパが共に前記レール側に延出し、前記突片部分が前記レール側の係合部に係合するときには本ロックされ、前記ストッパが前記レール側の被圧接部に圧接するだけのときには仮ロックされることを特徴とするロック機構を備えた扉装置である。
【０００７】
請求項２の発明は、請求項１に記載した扉装置において、ストッパの昇降手段は、下側リンク盤と平行な面内で平面運動する多節のリンク機構であることを特徴とする扉装置である。
【０００８】
請求項３の発明は、請求項２に記載した扉装置において、ストッパの昇降手段は、中間部を扉側に対して回動可能に連結されたシーソーリンクと、一端側が前記シーソーリンクに回動可能に連結され、他端側が下側リンク盤に回動可能に連結された円盤側リンクと、一端側が前記シーソーリンクに回動可能に連結された昇降リンク機構とで構成されていることを特徴とする扉装置である。
【０００９】
請求項４の発明は、請求項３に記載した扉装置において、昇降リンク機構は、シーソーリンクに一端側が回動可能に連結されたストッパ側リンクと、前記ストッパ側リンクの他端側に一端側が回動可能に連結されたパッド保持ロッドとで構成され、ストッパは前記ストッパ保持ロッドに外嵌され、レールの対向縁部よりも大径のパッドで構成され、前記パッド保持ロッドが下降してレール内に延出すると、前記パッドが前記レールの対向縁部に上側から圧接することで仮ロックされることを特徴とする扉装置である。
【００１０】
請求項５の発明は、請求項４に記載した扉装置において、パッド保持ロッドは、扉側に設けられたガイド筒に遊嵌されてガイドされていることを特徴とする扉装置である。
【００１１】
請求項６の発明は、請求項１から５のいずれかに記載した扉装置を備えた車両である。
【００１２】
請求項７の発明は、請求項６に記載した車両において、扉装置が伸縮幌を備えた側部扉に備えられていることを特徴とする車両である。
【発明の効果】
【００１３】
本発明の扉装置によれば、ロック機構側のハンドル操作により、任意の位置でストッパ機構も作動させることができ、しかもストッパ機構が扉の外面に露出させずに済む。
【図面の簡単な説明】
【００１４】
【図１】本発明の実施の形態に係る輸送用トラックの模式的側面図である。
【図２】図１に設けられた側部伸縮幌式扉に設けられた扉装置の外側から見た斜視図である。
【図３】図２に示す扉装置のリンク機構の説明図である。
【図４】図３に示すリンク機構のアンロック時とロック時との間の動作遷移の説明図である。
【図５】図４のアンロック時の状態を示す斜視図である。
【図６】図４のロック時の本ロック状態を示す斜視図である。
【図７】図４のロック時の仮ロック状態を示す斜視図である。
【発明を実施するための形態】
【００１５】
本発明の実施の形態に係る扉装置１を図面にしたがって説明する。
図１は車両の一種である輸送用トラックを示し、この輸送用トラックの側部には伸縮幌式の扉Ｄが設けられている。
この伸縮幌式の扉Ｄは伸縮幌Ｈの一側辺側に扉装置１が連設されており、この図では、扉装置１のロック機構が解除され、伸縮幌Ｈが収縮して一部開かれた状態が示されている。
【００１６】
図２に示すように、扉装置１の扉本体３の右側辺に伸縮幌Ｈが取付けられている。この扉本体３の上下と伸縮幌Ｈの骨部の上下にそれぞれコロ（図示省略）が連結されており、このコロが車体の側部開口の上下縁側にそれぞれ設けられた直線状のレールＲのガイド溝Ｔにスライド可能に遊嵌されている。
扉本体３の外面側には取っ手５が設けられており、この取っ手５を握って左右方向に引くことで、扉本体３がレールＲにガイドされてスライドすると共に伸縮幌Ｈが伸縮して開閉できるようになっている。
【００１７】
先ず、扉本体３側について説明する。
図３に示すように、扉本体３の内面側にはリンク機構が備えられており、ロック機構とストッパ機構がこのリンク機構を共用して構成されている。なお、説明の便宜のために、この図は扉本体３を透過して外側から見た状態でリンク機構が図示されている。
符号７はハンドルを示し、このハンドル７の一端側は扉本体３を回動可能に貫通したハンドル軸に扉本体３の外面側で連結されており、他端側はフリーになっている。このハンドル７はハンドル軸に対して手前側に起こすことが可能に連結されている。ハンドル７に対応して扉本体３の外面側には嵌込み凹部９が形成されており、ハンドル７はこの嵌込み凹部９に嵌め込まれているときは回動が規制され、フリー端側を離すように起こすことで嵌込み凹部９から脱着させると、回動できるようになっている。
このハンドル７を取っ手５の代わりに使用し、扉本体３を引いて側部を開けることもできる。
【００１８】
図３に示すように、ハンドル軸は扉本体３の内面側では、ハンドルリンク１１の一端側に固定されており、この内側のハンドルリンク１１は外側のハンドル７の回動操作に連動して回動する。
先ず、ハンドルリンク１１の上側について説明する。
ハンドルリンク１１の上側では、平行リンク１３の一端側が扉本体３に対して回動可能に取付けられている。平行リンク１３の取付け部は、ハンドルリンク１１の取付け部と略同じ鉛直軸上にあり、ハンドルリンク１１と平行リンク１３の他端側は共に同じく右方に延びている。符号１５は連結リンクを示し、この連結リンク１５の下端側がハンドルリンク１１の他端側と、上端側が平行リンク１３の他端側とそれぞれ互いに回動可能に連結されて、平行リンク機構を構成している。扉装置１では、この平行リンク機構の平行移動案内を昇降手段として利用している。
【００１９】
平行リンク１３の中間部には「く」の字状のロックリンク１７の下端側の回動支点１８が互いに回動可能に連結されている。ロックリンク１７の「く」の字の凹部はフック部１９になっており、平行リンク１３の扉本体３側への取付け支点２０側に相対している。このロックリンク１７の上端側には、上側回動誘導ロッド２１の下端部が連結されている。ロックリンク１７を介して、平行リンク機構の平行移動案内がこの上側回動誘導ロッド２１の上下方向の昇降動作に変換される。
【００２０】
符号２３はスプリングを示し、このスプリング２３の一端は扉本体３に取付けられ垂下しており、その下端はロックリンク１７の上端側に取り付けられている。このスプリング２３の扉本体３側の取付け部は、ロックリンク１７によるロック保持（後述）を考慮して設定されている。
【００２１】
符号２５は上側三角盤リンクを示し、この上側三角盤リンク２５は扉本体３の上縁近くで扉本体３に回動可能に取り付けられている。上側三角盤リンク２５は一辺が凹んで凹辺２７になっており、この凹辺２７の頂底近傍が扉本体３への取付け部となっている。この凹辺２７の両端側が突片部分２９、３１となっており、凹辺２７を扉本体３の上縁側に対向させたときに右側にくる連結用突片部分２９に上側回動誘導ロッド２１の上端側が互いに回動可能に連結されている。また、このとき左側にくる被係合用突片部分３１が被係合用となっている。
【００２２】
次に、ハンドルリンク１１の下側について説明する。
ハンドルリンク１１の中間部には、下側回動誘導ロッド３３の上端側が互いに回動可能に連結されている。
符号３５は下側三角盤リンクを示し、この下側三角盤リンク３５は上記した上側三角盤リンク２５と同じ形状を有している。下側三角盤リンク３５は、扉本体３の下縁近くで扉本体３に回動可能に取り付けられており、その取付部は上側三角盤リンク２５の取付部の鉛直方向上にある。
下側三角盤リンク３５の凹辺３７と対向する頂角付近で、上記した下側回動誘導ロッド３３の垂下した下端側が互いに回動可能に連結されている。二つの突片部分３９、４１のうち一方が被係合用になっている。
【００２３】
符号４３はシーソーリンクを示し、このシーソーリンク４３の中間部が回動支点として扉本体３に回動可能に支持されている。シーソーリンク４３の左端側には、盤従動リンク４５の上端側が互いに回動可能に連結されている。この盤従動リンク４５は垂下しており、その下端側は、上記した下側三角盤リンク３５をその凹辺３７を扉本体３の下縁側に対向させたときに右側にくる連結用突片部分３９に互いに回動可能に連結されている。また、このとき左側にくる被係合用突片部分４１が被係合用となっている。
【００２４】
また、シーソーリンク４３の右端側にはパッド側リンク４７の上端側が互いに回動可能に連結されている。このパッド側リンク４７の下端側はパッド保持ロッド４９の上端側と互いに回動可能に連結されている。
パッド保持ロッド４９は垂下しており、その下端側には弾性素材で形成された円環状のパッド５１が外嵌されている。このパッド５１にストッパとしての機能が担われている。パッド保持ロッド４９の径はガイド溝Ｔの幅寸法よりも小さくなるよう設計されている。一方、このパッド５１の外径はレールＲのガイド溝Ｔの幅寸法より大きく、且つレールＲの幅寸法より小さくなるよう設計されている。
パッド保持ロッド４９はパッド５１を完全に貫通して、その下端はパッド５１から僅かに突出している。
【００２５】
符号５３はガイド筒を示す。このガイド筒５３は、扉本体３の下縁に沿って取付けられており、上下方向に開口している。ガイド筒５３の下端は扉本体３の下縁と略面一となっている。
このガイド筒５３に上記したパッド保持ロッド４９が通されている。パッド５１はガイド筒５３の下端側にあり、パッド５１の外径はガイド筒５３の孔径より大きいので、通り抜けが規制されている。
【００２６】
次に、レールＲ側について説明する。
図２に示すように、レールＲ側には、係合部としての矩形枠５５が取り付けられている。この矩形枠５５は矩形の薄い平板に矩形開口５７が形成されたものとなっている。矩形枠５５の外幅寸法はレールＲの幅寸法と略同じになっており、矩形開口５７の幅寸法はガイド溝Ｔの幅寸法と略同じになっている。図示のように、矩形枠５５はレールＲのガイド溝Ｔ上に取付けられて、ガイド溝Ｔのガイド方向両側を矩形開口５７の対向縁５９、５９が横架した状態となっている。
なお、上側のレールＲ側についても、矩形枠５５が、下側の矩形枠５５の鉛直方向上に同じように取付けられている。
【００２７】
ロック機構とストッパ機構は、上記したリンク機構の一部のリンクを共用しており、ロック機構は、ハンドル７から上側三角盤リンク２５及び下側三角盤リンク３５に至るリンク機構と、上下の矩形枠５５、５５によって構成されている。
また、ストッパ機構は、ハンドル７から下側三角盤リンク３５を経由してパッド保持ロッド４９に至るリンク機構によって構成されており、下側三角盤リンク３５と平行な面内で平面運動する多節構造となっており、扉本体３の内側からの突出は邪魔にならないよう最低限に抑えられている。
【００２８】
次に、ロック機構とストッパ機構の動作について、図４にしたがって説明する。この図４は図３と同じく、扉本体３を透過して外側から見た状態でリンク機構が図示されている。
図４（Ａ）はアンロック時を示す。
ハンドル７は嵌込み凹部９から取り外されている。
ハンドル７の上側では、スプリング２３によりロックリンク１７を介して上側回動誘導ロッド２１は引き上げられており、上側三角盤リンク２５の回動も規制されてその突片部分２９、３１は共に扉本体３側に収まる位置で対向した状態で保持されている。
また、ロックリンク１７を介して平行リンク１３が右上がり方向に引き上げられており、ハンドル７も横方向に引き上げられた状態となっている。
【００２９】
また、ハンドル７の下側では、ロックリンク１７の引き上げにより、平行リンク機構が拡出状態に保持されている。
従って、ハンドルリンク１１に連結された下側回動誘導ロッド３３を介して下側三角盤リンク３５の回動が規制され、その突片部分３９、４１は共に扉本体３側に収まる位置で対向した状態で保持されている。
【００３０】
また、下側三角盤リンク３５の回動が規制されているので、それに連係したシーソーリンク４３の回動も規制される。シーソーリンク４３は左端側が引き下げられているので、反対の右端側では上がっている。従って、パッド側リンク４７が引き上げられており、パッド５１の上面がガイド筒５３の下端に当接し、レールＲのガイド溝Ｔの対向縁部より浮き上がっている。
【００３１】
従って、扉本体３をレールＲに沿って押したり引いたりしたときに、上側三角盤リンク２５と上側に設けられた矩形枠５５、下側三角盤リンク３５と下側に設けられた矩形枠５５は互いに干渉し合わない。また、パッド５１とレールＲも互いに干渉し合わない。
図５は、この状態を斜視的に示したもので、扉本体３と伸縮幌Ｈはスムーズにスライドする。
【００３２】
図４（Ｂ）はロック時を示す。ハンドル７をスプリング２３に抗して回動することで、アンロックからロックに変えている。
このとき、ハンドル７の上側では、ハンドル７の回動に連動して平行リンク機構のハンドルリンク１１が時計周りに回動し、その回動に伴って、平行リンク機構の平行リンク１３に連結されたロックリンク１７が引下げられ、そのフック部１９に平行リンク１３の取付け支点２０が掛かった状態となる。ロックリンク１７の回動支点１８が取付け支点２０を乗り越える前は、スプリング２３の付勢方向はロックリンク１７のフック部１９から取付け支点２０を外す方向であるが、乗り越えると、ロックリンク１７のフック部１９に取付け支点２０を掛ける方向に変わるので、ロックリンク１７のフック部１８に平行リンク１３の取付け支点２０が掛かった状態にロックされて、ハンドル７を離しても、その状態が維持される。
上側回動誘導ロッド２１は、ロックリンク１７の引き下げに伴って引き下げられ、その引き下げに伴って、上側三角盤リンク２５は時計周りに回動することで、被係合用突片部分３１を倒伏側に回動させる。従って、被係合用突片部分３１が扉本体３より上方に最大限突出し、レールＲのガイド溝Ｔ内に延出してその位置で保持される。このとき、被係合用突片部分３１が矩形枠５５に相対した位置にあるときは、矩形開口５７に入り込み、回動方向先側の対向縁５９に当接して移動が規制されることになり、本ロックされる。本ロック時には、扉本体３が車体の側縁と当接して位置決めされているので、被係合用突片部分３１の先端の回動軌道が回動方向後側の対向縁５９と干渉することなく、矩形開口５７にスムーズに入り込む。
【００３３】
一方、ハンドル７の下側では、ハンドルリンク１１に連結された下側回動誘導ロッド３３を介して下側三角盤リンク３５が反時計周りに回動することで、被係合用突片部分４１を倒伏側に回動させる。従って、被係合用突片部分４１が扉本体３より下方に最大限突出し、レールＲのガイド溝Ｔ内に延出してその位置で保持される。そして、上側が本ロックされる場合には、被係合用突片部分４１が矩形枠５５の矩形開口５７に入り込み、下側でも本ロックされる。このように、ハンドル７の操作により、ロック機構が働く。
なお、上下の三角盤リンク２５、３５とも、被係合用突片部分３１、４１はガイド溝Ｔの底面に当接しないので、本ロック時に底面に当って傷つくことは無い。
【００３４】
また、下側三角盤リンク３５の回動に伴って、盤従動リンク４５が持ち上げられると、シーソーリンク４３のシーソー作用により反対側のパッド側リンク４７が下がる。これにより、パッド保持ロッド４９も下降し、それに外嵌されたパッド５１がレールＲ側に延出し、レールＲの対向縁に上側から圧接する。これにより、仮ロックされる。このようにして、ストッパ機構が働く。ロック機構が働かない、側部中間の位置では、このストッパ機構だけが働く。
その際、パッド側リンク４７とパッド保持ロッド４９は互いに回動可能に連結されて、パッド保持ロッド４９はガイド筒５３に遊嵌されてガイドされているので、パッド保持ロッド４９は鉛直方向に姿勢が保持され、パッド５１の下面全体が使われて圧接するので、安定的にストッパ機能が働く。
【００３５】
図６は、三角盤リンク２５、３５の係合による本ロック状態を斜視的に示したものである。ロック機構が働いているときは、この本ロック状態になっている。なお、結果的に、パッド５１の圧接によるストッパ機構も働いているが、ロック機能自体は本ロックだけで十分果たされている。
図７は、パッド５１の圧接による仮ロック状態を斜視的に示したものである。ストッパ機構が働いているときは、この仮ロック状態になっている。仮ロックは任意の位置で可能なので、伸縮幌Ｈの開き度合を調整できる。
【００３６】
上記したように、ロックはハンドル７の回動動作で行えるが、さらに、ハンドル７を嵌込み凹部９に嵌め込むことで、ハンドル７が回動しないように二重ロックを働かせている。
ハンドル７を回動させて、ロックリンク１７のフック部１９から平行リンク１３の取付け支点２０を外せば、スプリング２３の弾性復元力により容易にアンロック状態に戻る。
本発明の扉装置１によれば、共通のハンドル７を操作することで、ロック機能もストッパ機能も働かせることができる。
また、扉装置のリンク機構は扉本体３の内面側に配設されているので、輸送中に塵や埃を巻き込むことはない。
【００３７】
以上、本発明の実施の形態について詳述してきたが、具体的構成は、この実施の形態に限られるものではなく、本発明の要旨を逸脱しない範囲における設計の変更などがあっても本発明に含まれる。
例えば、リンク機構を一部変形させても、請求項に記載の機能を果たせる限りは本発明に含まれる。
【産業上の利用可能性】
【００３８】
伸縮幌式の扉では特に軽く押したり引いたりしただけでも扉がスライドするので、特に本発明の扉装置を適用すると有利であるが、これに限定されず、スライド扉一般に広く適用できる。
【符号の説明】
【００３９】
Ｄ…伸縮幌式の扉                  Ｈ…伸縮幌
Ｒ…レール                        Ｔ…ガイド溝
１…扉装置                        ３…扉本体
５…取っ手                        ７…ハンドル
９…嵌込み凹部                  １１…ハンドルリンク
１３…平行リンク                  １５…連結リンク
１７…ロックリンク                １８…回動支点
１９…フック部                    ２０…取付け支点
２１…上側回動誘導ロッド          ２３…スプリング
２５…上側三角盤リンク            ２７…凹辺
２９…連結用突片部分              ３１…被係合用突片部分
３３…下側回動誘導ロッド          ３５…下側三角盤リンク
３７…凹辺                        ３９…連結用突片部分
４１…被係合用突片部分            ４３…シーソーリンク
４５…盤従動リンク                ４７…パッド側リンク
４９…パッド保持ロッド            ５１…パッド
５３…ガイド筒                    ５５…矩形枠
５７…矩形開口                    ５９…対向縁
【図１】
2014129020.tif 000003
【図２】
2014129020.tif 000004
【図３】
2014129020.tif 000005
【図４】
2014129020.tif 000006
【図５】
2014129020.tif 000007
【図６】
2014129020.tif 000008
【図７】
2014129020.tif 000009